(57)【要約】【課題】発光体に照明以外の機能を付与すると共に静止安定性、耐震性を向上させることが可能な照明装置を提供する。【解決手段】指針２と、表示板３と、支持体４と、回路基板５と、発光体６とを備え、発光体６が導光体６３と、発光素子６２と、配線部材６１とからなり、指針２を照明する照明装置において、配線部材６１が回路基板５に接触する接触部６１１と導光体６３を回路基板５側とは反対側に弾発付勢する弾性部６１２とを有し、導光体６３が弾性部６１２の弾発付勢力により支持体４に係合する第１の係合部６３１と、この第１の係合部６３１との間で表示板３を支持体４に係止する第２の係止部６３２とを有する。【選択図】  図１
2010223694.tif 000002
【特許請求の範囲】
【請求項１】
計器本体の指針軸に連結されて軸回り回転する指針と、この指針の指示対象となる指標部が形成された表示板と、この表示板を背後から支持する支持体と、この支持体の背後に配置される回路基板と、この回路基板と前記表示板との間に少なくともその一部が配置された発光体とを備え、前記発光体が導光体と、この導光体を発光させる発光素子と、前記導光体に固定され前記発光素子に前記回路基板からの電力を供給する金属製の配線部材とからなり、前記指針もしくは前記表示板の少なくとも一部を照明する照明装置において、前記配線部材が前記回路基板に接触する接触部と前記導光体を前記回路基板側とは反対側に弾発付勢する弾性部とを有し、前記導光体が前記弾性部の弾発付勢力により前記支持体に係合する第１の係合部と、この第１の係合部との間で前記表示板を前記支持体に係止する第２の係止部とを有することを特徴とする照明装置。
【請求項２】
前記導光体が前記指針軸の周囲を取り巻くように配置され、少なくとも一部が前記表示板と指針との間に位置して前記指針を照明する筒状部材からなり、前記導光体の前記表示板と指針との間に位置する箇所の外壁部に遮光部を設けたことを特徴とする請求項１記載の照明装置。
【発明の詳細な説明】
【技術分野】
【０００１】
本発明は、例えば自動車、自動二輪車、建設機械、小型船舶に搭載される指針式計器の照明装置に関するものである。
【背景技術】
【０００２】
この種の照明装置として下記特許文献１に記載されたものが知られている。この照明装置は、指針と、この指針の指示対象となる指標部が形成された表示板と、この表示板の背面側に配置される回路基板と、この回路基板と指針との間に配置され指針を発光させるための発光体とを備えている。
【０００３】
発光体は筒状の導光体と、この導光体を発光させる発光素子と、この発光素子に通電を行うためのリードフレームからなる金属製の配線部材とで構成されており、配線部材は回路基板からの給電を受けて発光素子を発光させ、この発光素子の光を導光体を通じて指針に導いて指針を発光させるようになっている。
【先行技術文献】
【特許文献】
【０００４】
【特許文献１】実開平０４−１４０９号公報
【発明の概要】
【発明が解決しようとする課題】
【０００５】
しかしながら、特許文献１記載の発光体は、指針を照明する機能しかなく、しかも配線部材を通じて回路基板に固定されるため、静止安定性、耐震性に不安があり、改良が望まれていた。
【０００６】
本発明は前述の課題に着目し、発光体に照明以外の機能を付与すると共に静止安定性、耐震性を向上させることが可能な照明装置を提供することを目的とするものである。
【課題を解決するための手段】
【０００７】
本発明は、前述した課題を解決するため、計器本体の指針軸に連結されて軸回り回転する指針と、この指針の指示対象となる指標部が形成された表示板と、この表示板を背後から支持する支持体と、この支持体の背後に配置される回路基板と、この回路基板と前記表示板との間に少なくともその一部が配置された発光体とを備え、前記発光体が導光体と、この導光体を発光させる発光素子と、前記導光体に固定され前記発光素子に前記回路基板からの電力を供給する金属製の配線部材とからなり、前記指針もしくは前記表示板の少なくとも一部を照明する照明装置において、前記配線部材が前記回路基板に接触する接触部と前記導光体を前記回路基板側とは反対側に弾発付勢する弾性部とを有し、前記導光体が前記弾性部の弾発付勢力により前記支持体に係合する第１の係合部と、この第１の係合部との間で前記表示板を前記支持体に係止する第２の係止部とを有することを特徴とする。
このように構成することにより、発光体に第２の係止部を設けることで表示板を支持体に係止する機能を付与できると共に第１の係止部と弾性部とを通じて発光体を支持体に固定することで静止安定性、耐震性を向上させることができる。
【０００８】
また本発明は、前記導光体が前記指針軸の周囲を取り巻くように配置され、少なくとも一部が前記表示板と指針との間に位置して前記指針を照明する筒状部材からなり、前記導光体の前記表示板と指針との間に位置する箇所の外壁部に遮光部を設けたことを特徴とする。
このように構成することにより、発光体を指針照明に用いる際に、遮光部にて指針の回転中心周囲への光漏れを抑制することができる。
【発明の効果】
【０００９】
本発明によれば、初期の目的を達成することができ、発光体に照明以外の機能を付与すると共に静止安定性、耐震性を向上させることが可能な照明装置を提供することができる。
【図面の簡単な説明】
【００１０】
【図１】本発明の第１の実施形態による照明装置の要部断面図である。
【図２】本発明の第２の実施形態による照明装置の要部断面図である。
【図３】本発明の第３の実施形態による照明装置の要部断面図である。
【発明を実施するための形態】
【００１１】
以下、本発明の実施の形態について添付図面を用いて説明する。
＜第１の実施形態＞
図１において、本発明の実施形態による照明装置は、計器本体１と、指針２と、表示板３と、支持体４と、回路基板５と、発光体６とを備えている。
【００１２】
計器本体１は、その本体部が回路基板５の背面側に位置すると共に指針軸１１が回路基板５を貫通して指針２側に延びるステッピングモータからなるものである。
【００１３】
指針２は、計器本体１の指針軸１１に連結されて軸回り回転すると共に発光体６を通じて導入される光にて線状に光輝する例えば透光性合成樹脂からなる指示部材２１を有している。この場合、指示部材２１には指針軸１１に沿って延び指針軸１１と挿入連結されるボス部２２が形成され、このボス部２２に発光体６からの照射光を反射して導く反射面２３が形成されている。
【００１４】
表示板３は、指針２の背後に配置され、指針２の指示対象となる目盛や数字等の図示しない指標部が形成された周知な印刷文字板からなり、指針２の回転中心部及び発光体６に対応した第１の貫通孔３１が形成されている。
【００１５】
支持体４は、表示板３を背後から支持すると共に光反射壁としても機能するよう例えば乳白色の合成樹脂材料からなり、発光体６に対応した第２の貫通孔４１が形成されている。
【００１６】
回路基板５は、この支持体４の背後に配置された周知な硬質回路基板からなり、その前面側には、発光体６の後述する配線部材に導通接触する図示しないランド部が形成されている。
【００１７】
発光体６は、少なくともその一部が回路基板５と表示板３との間に配置され、配線部材６１と、発光素子６２と、導光体６３とでなる複合体として一体化されている。
【００１８】
配線部材６１は、導電性金属材料を用いて形成されたリードフレームからなり、その一部が導光体６３内にインサート成形されると共に、導光体６３から外部に露出する第１の端部と第２の端部とを有する。
【００１９】
第１の端部は、導光体６３の側周部に露出し、発光素子６２が導通接続されている。一方、第２の端部は、回路基板５側に露出し、回路基板５に接触する接触部６１１と導光体６３を回路基板５側とは反対側に弾発付勢する屈曲形状の弾性部６１２とが形成されている。
【００２０】
発光素子６２は、例えばチップ形の発光ダイオードからなり、その発光軸が反射面２３を向くように導光体６３の外周に配置されている。なお導光体６３に発光素子６２を保持する保持部を形成することもできる。
【００２１】
導光体６３は、透光性合成樹を用いて、脂指針軸１１及びボス部２２の周囲を取り巻く筒状部材として形成され、支持体４の第２の貫通孔４１の背面側周囲に対応する箇所には、弾性部６２２の弾発付勢力により支持体４に係合する第１の係合部６３１が形成されている。
【００２２】
また導光体６３の指針２側端部は、表示板２を超えて指針２側に突出すると共に、表示板３と指針２との間に位置する箇所であって、第１の貫通孔３１の前面側周囲に対応する外壁部周面には、第１の係合部６３１との間で表示板３を支持体４に係止する第２の係止部６３２が形成されている。
【００２３】
この第２の係止部６３２を含む導光体６３の前記箇所は、遮光性合成樹脂により、遮光部６３４として形成されている。
【００２４】
この遮光部６３４は、導光体６１自体を透光性合成樹脂にて一次成形した後、導光体６３の周囲に遮光性合成樹脂を二次成形して一体化してなるものであるが、導光体６３とは別形成した遮光部６３４を導光体６３に固定することもできる。
【００２５】
このように構成される発光体６は、配線部材６１を通じて回路基板５からの電力を発光素子６２に供給して発光素子６を発光させ、その光を導光体６３を通じて指針２に導いて指示部材２１を発光させるものであるが、指針２や表示板３を組み付ける前に支持体４の前方側より第２の貫通孔４１に挿入され、第１の係合部６３１を通じて第２の貫通孔４１周囲に係合固定される。この際、第１の係合部６３１は、弾性部６２２の弾発付勢力により支持体４との係合方向に付勢された状態で係合固定される。発光体６を支持体４に係合固定した後、発光体６の前方側から表示板３の第１の貫通孔３１を発光体６に挿入し、表示板３を第２の係止部６３２に係止する。すると第２の係止部６３２と第１の係合部６３１との間で表示板３が支持体４に係止される。
【００２６】
以上のように、本実施形態によれば、計器本体１の指針軸１１に連結されて軸回り回転する指針２と、この指針２の指示対象となる指標部が形成された表示板３と、この表示板３を背後から支持する支持体４と、この支持体４の背後に配置される回路基板５と、この回路基板５と表示板３との間に少なくともその一部が配置された発光体６とを備え、発光体６が導光体６３と、この導光体６３を発光させる発光素子６２と、導光体６３に固定され発光素子６２に回路基板５からの電力を供給する金属製の配線部材６１とからなり、指針２を照明する照明装置において、配線部材６１が回路基板５に接触する接触部６１１と導光体６３を回路基板５側とは反対側に弾発付勢する弾性部６１２とを有し、導光体６３が弾性部６１２の弾発付勢力により支持体４に係合する第１の係合部６３１と、この第１の係合部６３１との間で表示板３を支持体４に係止する第２の係止部６３２とを有することにより、発光体６に第２の係止部６３２を設けることで表示板３を支持体４に係止する機能を付与できる。また第２の係止部６３２により発光体６を表示板３に係止することに加え、第１の係止部６３１と弾性部６１２とを通じて発光体６を支持体４に固定することにより、静止安定性、耐震性を向上させることができる。また第１の係止部６３２の係止によって回路基板５と配線部材６１との導通接続も同時に達成できるため、接続作業性及び組み付け作業性を向上させることができる。
【００２７】
また本実施形態では、導光体６３が指針軸１１の周囲を取り巻くように配置され、少なくとも一部が表示板３と指針２との間に位置して指針２を照明する筒状部材からなり、導光体６３の表示板３と指針２との間に位置する箇所の外壁部に遮光部６３４を設けたことにより、発光体６を指針照明に用いる際に、遮光部６３４にて指針２の回転中心周囲への光漏れを抑制することができる。
【００２８】
＜第２の実施形態＞
図２において、本発明の実施形態による照明装置は、発光素子６２として発光ダイオードベアチップを用い、これを配線部材６１に搭載した状態で配線部材６１を部分的に導光体６３にてモールドしてなり、この場合、発光素子６２が指針軸１１と平行方向に光を導いて指針２に照射するようになっている点で前記第１の実施形態と相違する。
【００２９】
また前記第１の実施形態では、配線部材６１の接触部６１１を含む弾性部６１２の形状が略「Ｊ」字形であったのに対し、本実施形態では、接触部６１１と弾性部６１２の双方が略「く」字形に屈曲している。
【００３０】
このように構成したことにより、前記第１の実施形態と同様の効果を期待できる他、ベアチップからなる発光素子６２を導光体６３内にモールドしたことにより、構成をコンパクトにでき、また支持体４上に表示板３を搭載した状態でも発光体６を装着することができ、組み付けの自由度を向上させることができる。
【００３１】
＜第３の実施形態＞
図３において、本発明の実施形態による照明装置は、発光体６の照明対象が表示板３と指針２の双方である点で前記第１の実施形態と異なるが、発光体６が導光体６３と、発光素子６２と、配線部材６１とからなり、配線部材６１が接触部６１１と弾性部６１２とを有し、導光体６３が第１の係合部６３１と、第２の係止部６３２とを有する点は、前記第１の実施形態と同様である。
【００３２】
このように構成することにより、前記第１の実施形態と同様の効果を期待できる他、発光体６によって表示板３と指針２の双方を照明することができる。
【００３３】
なお発光体６や発光素子６２の個数、導光体６３や配線部材６１の形状は任意である。
【符号の説明】
【００３４】
１  計器本体
２  指針
３  表示板
４  支持体
５  回路基板
６  発光体
１１  指針軸
２１  指示部材
２２  ボス部
２３  反射面
３１  第１の貫通孔
４１  第２の貫通孔
６１  配線部材
６２  発光素子
６３  導光体
６１１  接触部
６１２  弾性部
６３１  第１の係合部
６３２  第２の係止部
６３４  遮光部
【図１】
2010223694.tif 000003
【図２】
2010223694.tif 000004
【図３】
2010223694.tif 000005